(57)【要約】【課題】可能な範囲で端子構造に変更を加え高速の信号伝送を達成し得る端子構造を有したコネクタを提供することを目的とする。【解決手段】第一端子群と第二端子群を含み、特に、第一端子群を構成する端子には、中心に位置するグランド端子と、グランド端子を挟む一方の側と他方の側の各側に２本ずつ設けられた信号端子が含まれ、それぞれ、接触部と、実装部と、これらを連結する中間部を有する。グランド端子、一方の側においてグランド端子に近い側に配置された信号端子、及び、他方の側においてグランド端子に近い側に配置された信号端子の、それぞれにおける中間部の長さは、一方の側においてグランド端子から遠い側に配置された信号端子、及び、他方の側においてグランド端子から遠い側に配置された信号端子の、それぞれにおける中間部の長さより、長く設定されている。【選択図】図１
2014175248.tif 000002
【特許請求の範囲】
【請求項１】
絶縁性を有するハウジングと、
前記ハウジングの外部を覆う導電性を有するシェルと、
前記ハウジングによって支持される第一端子群と第二端子群と、を有し、
前記第一端子群と前記第二端子群はそれぞれ、５本の端子から成り、これら５本の端子は、相隣り合う端子のピッチ方向に沿って互いに並列に且つそれぞれが相手コネクタとの嵌合方向に沿って配列されており、
前記第一端子群を構成する５本の端子には、中心に位置するグランド端子と、前記グランド端子を挟む一方の側と他方の側の各側に２本ずつ設けられた信号端子が含まれ、これら５本の端子は、前記グランド端子を中心に対称構造を成しており、
前記第一端子群を構成する５本の端子はそれぞれ、前記相手コネクタとの嵌合時に前記相手コネクタの対応端子と接触し得る接触部と、基板に実装される実装部と、前記接触部と前記実装部とを連結する中間部を有し、前記接触部は、前記相手コネクタとの嵌合方向に沿う同一の先端位置から前記実装部の側に向って直線状に延びており、
前記グランド端子、前記一方の側において前記グランド端子に近い側に配置された信号端子、及び、前記他方の側において前記グランド端子に近い側に配置された信号端子の、それぞれにおける前記中間部の長さは、前記一方の側において前記グランド端子から遠い側に配置された信号端子、及び、前記他方の側において前記グランド端子から遠い側に配置された信号端子の、それぞれにおける前記中間部の長さより、長く設定されていることを特徴とするコネクタ。
【請求項２】
側面視略Ｌ字状の中間部のうち、前記接触部と連続した状態で前記相手コネクタとの嵌合方向に沿って直線状に延びている前記中間部の一部長さに関して、前記グランド端子、前記一方の側において前記グランド端子に近い側に配置された信号端子、及び、前記他方の側において前記グランド端子に近い側に配置された信号端子の、それぞれにおける当該一部長さは、前記一方の側において前記グランド端子から遠い側に配置された信号端子、及び、前記他方の側において前記グランド端子から遠い側に配置された信号端子の、それぞれにおける当該一部長さより、長く設定されている請求項１に記載のコネクタ。
【請求項３】
前記中間部の、前記ピッチ方向における幅は、前記接触部のそれより拡幅されている請求項１又は２に記載のコネクタ。
【請求項４】
前記第一端子群を構成する５本の端子のインピーダンスは、９０±１０Ωの範囲にある請求項１乃至３のいずれかに記載のコネクタ。
【請求項５】
前記第二端子群は、前記相隣り合う端子のピッチ方向に沿って互いに並列に且つそれぞれが前記相手コネクタとの嵌合方向に沿って配列されている請求項１乃至４のいずれかに記載のコネクタ。
【請求項６】
前記第一端子群は、前記コネクタがＵＳＢ３．０規格で使用される際は前記第二端子群とともに使用され、前記第二端子群は、前記コネクタがＵＳＢ２．０規格で使用される際はそれ単独で使用される請求項１乃至５のいずれかに記載のコネクタ。
【発明の詳細な説明】
【技術分野】
【０００１】
本発明は、高速信号伝送を実現するための端子構造を有するコネクタに関する。
【背景技術】
【０００２】
情報技術の発達に伴い、パソコンや携帯電話、デジカメ、音楽プレーヤ、その他の電子デバイスで使用されるコネクタにも、より安定した形で信号伝送速度の高速化を図ることが求められている。特許文献１に、高速信号伝送のために現在用いられているコネクタの一例が開示されている。このコネクタは、第一端子群と第二端子群を備えており、ＵＳＢ２．０規格とＵＳＢ３．０規格の双方に対応できる。ここで、第一端子群は、ＵＳＢ３．０にのみ使用されるもの、第二端子群は、ＵＳＢ２．０とＵＳＢ３．０の双方に使用されるものであって、第一端子群は、第二端子群とともにのみ使用される。
【０００３】
これら第一端子群と第二端子群には、それぞれ、計５本の端子が含まれる。各端子は相手コネクタとの嵌合方向に沿って配置され、また、相隣り合う端子と互いに並列に配置されている。第一端子群には、中心に位置するグランド端子と、このグランド端子を挟む一方の側と他方の側の各側に２本ずつ設けられた信号端子とが含まれる。一方、第二端子群には、一対の信号端子や電源用端子らが含まれる。特に、第一端子群に含まれる５本の端子は、グランド端子を中心に対称構造を成しており、各端子には、相手コネクタとの嵌合時に相手コネクタの対応端子と接触し得る接触部と、基板に実装される実装部と、接触部と実装部を連結する側面視略Ｌ字状の中間部とが含まれる。特に、接触部は、相手コネクタとの嵌合方向に沿う同一の先端位置から実装部の側に向って直線状に延びている。
【０００４】
よく知られているように、グランド端子の一方の側に設けた２本の信号端子は送信用として使用されるもの、他方の側に設けた２本の信号端子は受信用として使用されるものであり、これら各側に設けた２本の信号端子は、中心に位置するグランド端子とともに差動ペアを形成する。これらの各差動ペア内ではインピーダンス整合を図ることが重要である。インピーダンス特性のミスマッチは、差動ペアを形成する信号端子の各々に伝送される信号にタイミングのずれ（スキュー）を生じさせ、伝送特性を劣化させてしまうからである。また、高速信号伝送を達成するには、更に、スキューの防止に加え、端子間のクロストークを低く抑えることも重要である。
【先行技術文献】
【特許文献】
【０００５】
【特許文献１】特開２０１１−１３４６２５号公報
【発明の概要】
【発明が解決しようとする課題】
【０００６】
一般に、第一端子群や第二端子群を構成する端子は、全て略同じ大きさ及び形状を有している。高速信号伝送を実現するにあたり、本願発明者らは、これら端子の構造、特に、第一端子群の端子構造に対して変更を試みた。但し尚、このような変更を加えるにあたり、注意しなければならないことがある。各端子の構成部分のうち、特に、接触部の、相隣り合う端子とのピッチ方向における幅は、相隣り合う端子までの端子間距離等との関係で略決まってしまうため、大きな変更を加えることはできないこと、また、実装部の幅も、基板に実装部を半田付けする際の半田拡がり等との関係で略決まってしまうため、大きな変更を加えることはできないことである。本願発明者らは、これらの事情を考慮しつつ、接触部と実装部以外の部分について端子構造を変更することにより、高速信号伝送の実現を試みた。
【０００７】
先ず、高速信号伝送を実現するために重要な要素となるであろう、インピーダンス、スキュー、及びクロストークのそれぞれに関して、通常の端子構造に対してシミュレーション解析を行なった。この結果、インピーダンスは約７５〜９２Ω、スキューは約０．０１ｎｓ、クロストークは約−３５ｄｂという解析結果を得た。尚、この解析結果におけるインピーダンスは、差動ペアに含まれる３本を一まとめにして測定した場合の数値幅として表わされており、例えば、上の例で言えば、各差動ペアに含まれる全ての端子のインピーダンスが、約７５〜９２Ωの範囲に収まっていることを意味する。
【０００８】
試行錯誤を繰り返した結果、グランド端子を挟む一方の側においてグランド端子に近い側に配置された信号端子と他方の側においてグランド端子に近い側に配置された信号端子のそれぞれの中間部のうち、接触部と連続した状態で相手コネクタとの嵌合方向に沿って直線状に延びている中間部の一部長さを、グランド端子を挟む一方の側においてグランド端子から遠い側に配置された信号端子と他方の側においてグランド端子から遠い側に配置された信号端子のそれぞれの当該一部長さより長く設定した場合に、比較的良好な解析結果が得られることが分かった。この場合のインピーダンスは約８０〜９２．５Ω、クロストークは約−３７ｄｂであり、スキューは検出されなかった。
【０００９】
しかしながら、多少の改善は見られたものの、例えば、ＵＳＢ３．０より高速の信号伝送を達成するには、上記の解析値は、未だ、クロストークに関して十分と言えるものではない。
本願発明は、可能な範囲で端子構造に変更を加えることにより、スキューを改善すると同時に、クロストークを改善して、ＵＳＢ３．０よりも更に高速の信号伝送を達成し得る端子構造を有したコネクタを提供することを目的とする。
【課題を解決するための手段】
【００１０】
本発明は、絶縁性を有するハウジングと、前記ハウジングの外部を覆う導電性を有するシェルと、前記ハウジングによって支持された第一端子群と第二端子群と、を有し、前記第一端子群と前記第二端子群はそれぞれ、５本の端子から成り、これら５本の端子は、相隣り合う端子のピッチ方向に沿って互いに並列に且つそれぞれが相手コネクタとの嵌合方向に沿って配列されており、前記第一端子群を構成する５本の端子には、中心に位置するグランド端子と、前記グランド端子を挟む一方の側と他方の側の各側に２本ずつ設けられた信号端子が含まれ、これら５本の端子は、前記グランド端子を中心に対称構造を成しており、前記第一端子群を構成する５本の端子はそれぞれ、前記相手コネクタとの嵌合時に前記相手コネクタの対応端子と接触し得る接触部と、基板に実装される実装部と、前記接触部と前記実装部とを連結する中間部を有し、前記接触部は、前記相手コネクタとの嵌合方向に沿う同一の先端位置から前記実装部の側に向って直線状に延びており、前記グランド端子、前記一方の側において前記グランド端子に近い側に配置された信号端子、及び、前記他方の側において前記グランド端子に近い側に配置された信号端子の、それぞれにおける前記中間部の長さは、前記一方の側において前記グランド端子から遠い側に配置された信号端子、及び、前記他方の側において前記グランド端子から遠い側に配置された信号端子の、それぞれにおける前記中間部の長さより、長く設定されているコネクタを特徴とする。
この本コネクタによれば、信号端子に伝送される信号に生じ得るタイミングのズレ（スキュー）を小さくすることができるとともに、クロストークを、ＵＳＢ３．０よりも高速の信号伝送を達成するのにも良好な値にまで低減させることができる。
【００１１】
上記コネクタにおいて、例えば、側面視略Ｌ字状の中間部のうち、前記接触部と連続した状態で前記相手コネクタとの嵌合方向に沿って直線状に延びている前記中間部の一部長さに関して、前記グランド端子、前記一方の側において前記グランド端子に近い側に配置された信号端子、及び、前記他方の側において前記グランド端子に近い側に配置された信号端子の、それぞれにおける当該一部長さは、前記一方の側において前記グランド端子から遠い側に配置された信号端子、及び、前記他方の側において前記グランド端子から遠い側に配置された信号端子の、それぞれにおける当該一部長さより、長く設定されている。
【００１２】
上記コネクタにおいて、前記中間部の、ピッチ方向における幅は、前記接触部のそれより拡幅されていてもよい。
この構成によれば、より効果的にインピーダンス整合を図ることができる。
尚、上記コネクタにおいて、前記第一端子群を構成する５本の端子のインピーダンスは、９０±１０Ωの範囲にあるのが好ましい。
【００１３】
上記コネクタにおいて、前記第二端子群は、前記相隣り合う端子のピッチ方向（ア）に沿って互いに並列に且つそれぞれが前記相手コネクタとの嵌合方向（イ）に沿って配列されていてもよい。
【００１４】
上記コネクタにおいて、前記第一端子群は、前記コネクタがＵＳＢ３．０規格で使用される際は前記第二端子群とともに使用され、前記第二端子群は、前記コネクタがＵＳＢ２．０規格で使用される際はそれ単独で使用される。
【発明の効果】
【００１５】
本発明によれば、スキューを改善すると同時に、クロストークをも改善して、ＵＳＢ３．０よりも更に高速の信号伝送が可能な端子構造を有したコネクタが提供される。
【図面の簡単な説明】
【００１６】
【図１】本発明の一実施形態によるコネクタの正面図である。
【図２】図１のコネクタの背面斜視図である。
【図３】図１のコネクタの断面図であって、（ａ）はＡ−Ａ線断面図、（ｂ）はＢ−Ｂ線断面図である。
【図４】一体成形された端子群を有するハウジングの背面斜視図である。
【図５】一方の嵌合部に配列された端子群に含まれる端子の配列状態を示す図であって、（ａ）は上面図、（ｂ）は側面図、（ｃ）は底面斜視図である。
【発明を実施するための形態】
【００１７】
以下、添付図面を参照しつつ、本発明の好適な一実施形態によるコネクタを説明する。
試行錯誤を繰り返し、鋭意研究を進めた結果、本願発明者らは、以下に説明する端子構造を備えたコネクタによれば、スキューを改善すると同時に、クロストークをも改善し、ＵＳＢ３．０よりも更に高速の信号伝送が可能であることを見出した。このコネクタに含まれる端子構造を用いた場合、インピーダンスは約８２．５〜９４Ω、即ち、９０±１０Ωの範囲内となり、クロストークは約−４１ｄｂとなり、スキューは全く検出されなかった。
【００１８】
図１に、本コネクタ（レセプタクルコネクタ）１０の正面図を、図２に、その背面斜視図を、それぞれ示す。本コネクタ１０は、いわゆるＭｉｃｒｏ−ＵＳＢコネクタであり、絶縁性を有する樹脂製のハウジング１２と、このハウジング１２の外側を略筒状に覆う、導電性を有する金属製のシェル２４と、更に、ハウジング１２によって支持された第一端子群３０と第二端子群６０を有する。尚、実際の使用時には、コネクタ１０は基板（図示されていない）に実装した状態で使用される。
【００１９】
本コネクタ１０は、幅の異なる２の嵌合部２８、２９を備えており、各嵌合部２８、２９のそれぞれに、これらの嵌合部にそれぞれ対応して設けられた、相手コネクタの幅の異なる嵌合口（図示していない）を嵌合させることができる。各嵌合部２８、２９にはそれぞれ、第一端子群３０、第二端子群６０が、設けられている。ここで第一端子群は、ＵＳＢ３．０にのみ使用されるもの、第二端子群は、ＵＳＢ２．０とＵＳＢ３．０の双方に使用されるものであり、第一端子群３０は、コネクタがＵＳＢ３．０規格で使用される際は第二端子群６０とともに使用され、また、第二端子群６０は、コネクタがＵＳＢ２．０規格で使用される際はそれ単独で使用される。尚、相手コネクタの誘い込みを容易にするため、嵌合部２８、２９それぞれの嵌合口の周囲に、シェル２４によって誘い込み部４２を形成してもよい。
【００２０】
シェル２４は、一枚の金属板から形成されるのが好ましい。これにより、製造コスト、材料コストの削減を図ることができる。例えば、金属板を所定の形状に打抜き成形した後、略筒状に折り曲げることによって形成することもできる。この方法で、嵌合部２８、２９は、シェル２４を折り曲げて仕切り３５を設けることによって、容易に形成することができる。本実施形態では、嵌合部２９側の中間部３５Ａは傾斜面３７とし、嵌合部２８側の中間部３５Ｂは垂直面３８とするように、折り曲げられている。シェル２４の天板３６に設けた係止穴５２には、嵌合部２９に挿入された相手コネクタのシェルの先端部に設けた係止突起が係止される。これらを係合させることにより、コネクタ１０と相手コネクタはロックされ得る。
【００２１】
第一端子群３０と第二端子群６０はそれぞれ、５本の端子から成っており、第一端子群３０及び第二端子群６０ともに、これら５本の端子は、相隣り合う端子のピッチ方向（図１中の図示矢印「ア」方向）に沿って互いに並列に、且つ、それぞれが相手コネクタとの嵌合方向（図２等中の図示矢印「イ」方向）に沿って配列されている。
第一端子群３０を構成する５本の端子には、中心に位置するグランド端子３０Ｇと、グランド端子３０Ｇを挟む一方の側に設けられた２本の信号端子３０Ｓ2、３０Ｓ1、グランド端子３０Ｇを挟む他方の側に設けられた２本の信号端子３０Ｓ3、３０Ｓ4が含まれる。これらの端子は、グランド端子３０Ｇを中心に対称構造を成しており、グランド端子３０Ｇに近い側に配置された信号端子３０Ｓ2と、グランド端子３０Ｇから遠い側に配置された信号端子３０Ｓ1は、グランド端子３０Ｇとともに一方の差動ペアを形成し、同様に、グランド端子３０Ｇに近い側に配置された信号端子３０Ｓ3と、グランド端子３０Ｇから遠い側に配置された信号端子３０Ｓ4は、グランド端子３０Ｇとともに他方の差動ペアを形成している。従って、これらの各差動ペア内で、インピーダンス整合を図ることが重要になる。
【００２２】
一方、第二端子群６０に含まれる５本の端子は、一対の信号端子と電源用端子らである。これらの端子は、ＵＳＢ２．０規格として従来から使用されており、この従来のものをそのまま使用することができる。この第二端子群６０の構成及び働きについてはよく知られているため、ここでは詳細には説明しない。
【００２３】
第一端子群３０に含まれる５本の端子、即ち、端子３０Ｓ1、３０Ｓ2、３０Ｇ、３０Ｓ3、３０Ｓ4も、同様に、ＵＳＢ規格に対応させたものとなっているが、これらの端子については、ＵＳＢ３．０よりも高速の信号伝送を達成するため、構造が多少変更されている。
【００２４】
図３に、第一端子群３０に含まれる５本の端子３０Ｓ1、３０Ｓ2、３０Ｇ、３０Ｓ3、３０Ｓ4の詳細な端子構造を示す。ここで図３の（ａ）は上面図、（ｂ）は側面図、（ｃ）は底面斜視図である。
これら５本の端子３０Ｓ1〜３１Ｓ4、３０Ｇには、それぞれ、相手コネクタとの嵌合時に相手コネクタの対応端子と接触し得る接触部３１Ｓ1、３１Ｓ2、３１Ｇ、３１Ｓ3、３１Ｓ4と、基板に実装される実装部３３Ｓ1、３３Ｓ2、３３Ｇ、３３Ｓ3、３３Ｓ4と、更に、これら接触部３１Ｓ1、３１Ｓ2、３１Ｇ、３１Ｓ3、３１Ｓ4と実装部３３Ｓ1、３３Ｓ2、３３Ｇ、３３Ｓ3、３３Ｓ4とを連結する、例えば、側面視略Ｌ字状の中間部３２Ｓ1、３２Ｓ2、３２Ｇ、３２Ｓ3、３２Ｓ4が含まれる。特に、接触部３１Ｓ1、３１Ｓ2、３１Ｇ、３１Ｓ3、３１Ｓ4は、相手コネクタとの嵌合方向（図示矢印「イ」）に沿う同一の先端位置３１Ｓ1’、’３１Ｓ2’、３１Ｇ’、３１Ｓ3’、３１Ｓ4’から、実装部３３の側に向って、相隣り合う端子の接触部と同一面にて直線状に延びている。尚、中間部３２の、相隣り合う端子とのピッチ方向における幅は、接触部３１や実装部３３のそれより拡幅されていてもよい。拡幅したとき、上記と同様のシミュレーションにより、インピーダンスは９５．９Ωから９１Ωに改善した。従って、このような拡幅は、インピーダンス整合を図るために効果的であると考えられる。
【００２５】
スキューを改善すると同時に、クロストークをも改善し、ＵＳＢ３．０よりも更に高速の信号伝送を実現するため、本願では、また、グランド端子３０Ｇ、一方の側においてグランド端子３０Ｇに近い側に配置された信号端子３０Ｓ2、及び、他方の側においてグランド端子３０Ｇに近い側に配置された信号端子３０Ｓ3の、それぞれにおける中間部３２Ｓ2、３２Ｇ、３２Ｓ3の長さが、一方の側においてグランド端子３０Ｇから遠い側に配置された信号端子３０Ｓ1、及び、他方の側においてグランド端子３０Ｇから遠い側に配置された信号端子３０Ｓ4の、それぞれにおける中間部３２Ｓ1、３２Ｓ4の長さより、長く設定されている。一例を挙げれば、側面視略Ｌ字状の中間部３２のうち、接触部３１と連続した状態で相手コネクタとの嵌合方向に沿って直線状に延びている中間部３２の一部長さ（図３の（ｂ）、（ｃ）に示す「ａ」、「ｂ」）に関して、グランド端子３０Ｇ、一方の側においてグランド端子３０Ｇに近い側に配置された信号端子３０Ｓ2、及び、他方の側においてグランド端子３０Ｇに近い側に配置された信号端子３０Ｓ3の、それぞれにおける当該一部長さ「ｂ」が、一方の側においてグランド端子３０Ｇから遠い側に配置された信号端子３０Ｓ1、及び、他方の側においてグランド端子３０Ｇから遠い側に配置された信号端子３０Ｓ4の、それぞれにおける当該一部長さ「ａ」より、長く設定されている。尚、グランド端子３０Ｇ、一方の側においてグランド端子３０Ｇに近い側に配置された信号端子３０Ｓ2、及び、他方の側においてグランド端子３０Ｇに近い側に配置された信号端子３０Ｓ3は、互いに同じ大きさ及び形状を有するのが好ましいと考えられる。同様に、一方の側においてグランド端子３０Ｇから遠い側に配置された信号端子３０Ｓ1、及び、他方の側においてグランド端子３０Ｇから遠い側に配置された信号端子３０Ｓ4は、互いに同じ大きさ及び形状を有するのが好ましいと考えられる。このような構成とすることにより、信号端子に伝送される信号に生じ得るスキューを小さくすることができるとともに、クロストークを、ＵＳＢ３．０よりも高速の信号伝送を達成するのにも良好な値にまで低減させることができる。
【００２６】
図４に、ハウジング１２の背面斜視図を示す。ハウジング１２は、本体部１５と、この本体部１５から嵌合側に向かって延びる保持部１６、１７、更に、本体部１５の長手方向における一方の側において後方に突出するように設けた覆部１９を有する。第一端子群３０は、保持部１６と本体部１５によって支持された状態で、ハウジング１２に対して一体成形（インサート成形）され、一方、第二端子群６０は、保持部１７と本体部１５に加え、更に、覆部１９によって支持された状態で、ハウジング１２に対して一体成形される。特に、第一端子群３０の接触部３１については、その下側、即ち、相手コネクタの対応端子との接触部分を露出させた状態で、保持部１６によって保持される。第二端子群６０についても同様である。
【００２７】
一体成形された第一端子群３０や第二端子群６０及びハウジング１２は、シェル２４によって形成された略筒状体に、該略筒状体の後方（相手コネクタとの嵌合口の反対側）から挿入される。図２に示されるように、ハウジング１２の挿入後に、シェル２４の後端に設けたカシメ片４４を、ハウジング１２の後方に突出させるように設けた被カシメ部２１等にカシメ、また、カシメ片４６を、ハウジング１２の後方のエッジ部４８に引っ掛けるように折り曲げ、更に、舌片３４を、ハウジング１２の一部に圧入等することにより、ハウジング１２とシェル２４は完全に固定される。
【００２８】
図５の（ａ）に、図１のＡ−Ａ線断面図を、図５の（ｂ）に、図１のＢ−Ｂ線断面図を、それぞれ示す。ハウジング１２がシェル２４に完全に固定されたとき、ハウジング１２の保持部１６や保持部１７と、シェル２４の天板３６の内壁３８との間には、それぞれ隙間が形成される。また、保持部１６は、第一端子群３０とともに嵌合部２８内において嵌合側に延出し、保持部１７は、第二端子群６０とともに嵌合部２９内において嵌合側に延出する。尚、図５の断面図は、特に第一端子群３０とその周辺の断面を示しているが、第二端子群６０についても同様に考えることができる。これらの断面図からも明らかなように、ハウジング１２に対して一体成形された第一端子群３０の各端子、例えば、図５の（ａ）に示す端子３０Ｇや、図５の（ｂ）に示す端子３０Ｓ1は、それぞれ、ハウジング１２の保持部１６、１７の底側にて、それらの一部、例えば、図５の（ａ）に示す接触部３１Ｇや、図５の（ｂ）に示す接触部３１Ｓ1の底側が露出された状態とされる。これらの露出部は、嵌合口２８、２９から嵌合された相手コネクタの各対応端子と接続される部分となる。また、第一端子群３０の各端子、例えば、図５の（ａ）に示す端子３０Ｇ、３０Ｓ4や、図５の（ｂ）に示す端子３０Ｓ1、３０Ｓ2は、それぞれ、ハウジング１２の後端部付近にて、それらの一部、例えば、図５の（ａ）に示す実装部３３Ｇ、３３Ｓ4や、図５の（ｂ）に示す実装部３３Ｓ1、３３Ｓ2が露出された状態とされる。これらの露出部は、シェル２４の半田部２５とともに、基板の対応箇所に半田付けされる部分となる。
【産業上の利用可能性】
【００２９】
本願発明は、高速信号伝送が必要な電気コネクタに広く用いることができる。
【符号の説明】
【００３０】
１０  コネクタ
１２  絶縁ハウジング
１６  保持部
１７  保持部
２４  金属シェル
２８  嵌合部
２９  嵌合部
３０  コンタクト
３１  接触部
３２  中間部
３３  実装部
６０  コンタクト
【図１】
2014175248.tif 000003
【図２】
2014175248.tif 000004
【図３】
2014175248.tif 000005
【図４】
2014175248.tif 000006
【図５】
2014175248.tif 000007